(57)【要約】【課題】電子地図情報の精度や、道路構造の如何に関わらず、車両前方の視界を良好に確保し得るナビ協調制御型の車両用前照灯装置を提供すること。【解決手段】車両用前照灯装置１は、車両１００の進路をなす道路の構造を表す道路データを出力する道路データ出力手段２０と、前照灯１１０の光軸方向を調整する第１のスイブル装置１１と、前照灯１２０の光軸方向を調整する第２のスイブル装置１２と、各スイブル装置１１、１２を、それぞれ独立して制御するよう構成した配光制御ＥＣＵ３０とを有してなる。そして、この配光制御ＥＣＵ３０は、第２のスイブル装置１２とは独立して第１のスイブル装置１１を制御することにより、前照灯１１０の光軸方向のみを、道路データに基づいて算出した道路方向に調整するナビ協調制御を実施するように構成してある。【選択図】図１
2005059839.tif 000002
【特許請求の範囲】
【請求項１】
車両の前面に配設した左右一組の前照灯の光軸を、道路面に対して略水平な面内において調整可能に構成した車両用前照灯装置において、
車両位置を検知する位置検知センサ及び、電子地図情報を格納した地図データベースを含み、上記車両位置に基づいて上記地図データベースを参照し、車両の進路をなす道路の構造を表す道路データを出力する道路データ出力手段と、
上記前照灯のうち一方の前照灯である主灯の光軸方向を調整する第１のスイブル手段と、上記前照灯のうち他方の前照灯である副灯の光軸方向を調整する第２のスイブル手段と、
上記各スイブル手段を、それぞれ独立して制御するよう構成した制御手段とを有してなり、
該制御手段は、上記第２のスイブル手段とは独立して上記第１のスイブル手段を制御することにより、上記主灯の光軸方向のみを、上記道路データに基づいて算出した道路方向に一致するよう調整する片眼のナビ協調制御を実施可能に構成してあることを特徴とする車両用前照灯装置。
【請求項２】
請求項１において、上記制御手段は、上記道路データに基づいて、上記左右一組の前照灯のうちの一方を主灯に設定すると共に他方を副灯に設定して、上記片眼のナビ協調制御を実施するように構成してあることを特徴とする車両用前照灯装置。
【請求項３】
請求項１又は２において、上記制御手段は、上記各スイブル手段を同様に制御することにより、上記主灯及び副灯の光軸を、上記道路データに基づいて算出した道路方向に一致するよう調整する両眼のナビ協調制御も実施可能であり、
該両眼のナビ協調制御と、上記片眼のナビ協調制御とを切り替えて実施するよう構成してあることを特徴とする車両用前照灯装置。
【請求項４】
請求項３において、上記車両用前照灯装置は、上記地図データベースに格納した上記電子地図情報を加工して、該電子地図情報の位置精度を向上する更新手段を有してなり、
上記制御手段は、上記道路データ出力手段から出力される上記道路データが、上記更新手段により位置精度を向上した上記電子地図情報に基づくデータであるか否かによって、上記片眼のナビ協調制御と上記両眼のナビ協調制御とを切り換えて実施するように構成してあることを特徴とする車両用前照灯装置。
【請求項５】
請求項３において、上記道路データは、道路の種別を表す種別情報を有してなり、上記制御手段は、上記道路データが表す道路の種別に応じて、上記片眼のナビ協調制御を実施するか上記両眼のナビ協調制御を実施するかを切り換えるように構成してあることを特徴とする車両用前照灯装置。
【請求項６】
請求項１〜５のいずれか１項において、上記車両用前照灯装置は、ステアリングの操舵角を検出する操舵角検出手段を有してなり、
上記制御手段は、上記片眼のナビ協調制御においては、上記操舵角に基づいて車両の推定進路の方向を演算すると共に、上記第２のスイブル手段を制御して、上記副灯の光軸の方向を、上記推定進路の方向に一致するよう調整するように構成してあることを特徴とする車両用前照灯装置。
【請求項７】
請求項１〜６のいずれか１項において、上記車両用前照灯装置は、ステアリングの操舵角を検出する操舵角検出手段を有してなり、
上記制御手段は、上記操舵角に基づいて、車両の推定進路の方向を演算するように構成してあり、上記道路データに基づいて調整した上記前照灯の光軸の方向と、上記推定進路の方向との角度偏差が、所定の角度の範囲にあるときに上記ナビ協調制御を実施し、上記角度偏差が上記所定の角度の範囲を超えたときは上記ナビ協調制御を実施しないように構成してあり、
上記制御手段は、上記角度偏差が上記所定の角度を超えた後の所定の時間をかけて、上記前照灯の光軸の方向を、上記推定進路の方向に一致するよう調整する復帰制御を実施するように構成してあることを特徴とする車両用前照灯装置。
【請求項８】
請求項１〜７のいずれか１項において、上記主灯は、上記左右一組の前照灯のうち、車両の走行時に対向車線側に位置する前照灯であり、上記副灯は、上記左右一組の前照灯のうち、他方の前照灯であることを特徴とする車両用前照灯装置。
【請求項９】
請求項１〜７のいずれか１項において、上記主灯は、上記左右一組の前照灯のうち、上記道路方向が向かう側にある前照灯であり、上記副灯は、上記左右一組の前照灯のうち、他方の前照灯であることを特徴とする車両用前照灯装置。
【請求項１０】
請求項１〜７のいずれか１項において、上記主灯は、上記左右一組の前照灯のうち、上記道路方向が変化する方向に当たる側の前照灯であり、上記副灯は、上記左右一組の前照灯のうち、他方の前照灯であることを特徴とする車両用前照灯装置。
【請求項１１】
請求項１〜１０のいずれか１項において、車両の右側に配設した上記前照灯の光軸の方向の調整範囲は、車両軸と平行な中心軸から右側外方に拡がる所定の範囲に制限してあり、車両の左側に配設した上記前照灯の光軸の方向の調整範囲は、車両軸と平行な中心軸から左側外方に拡がる所定の範囲に制限してあることを特徴とする車両用前照灯装置。
【請求項１２】
請求項１〜１１のいずれか１項において、上記制御手段は、車両に搭載したナビゲーションシステムが経路案内を実施しているか否かを示すモード信号を入力すると共に、上記ナビゲーションシステムが経路案内を実施している最中に上記ナビ協調制御を実施し、経路案内を実施していないときには上記ナビ協調制御を実施しないように構成してあることを特徴とする車両用前照灯装置。
【請求項１３】
請求項１〜１２のいずれか１項において、上記道路データ出力手段が出力する上記道路データは、道路の種別を表す種別情報を有してなり、上記制御手段は、上記道路データが表す道路の種別に応じて、上記ナビ協調制御を実施するか否かを切り換えるように構成してあることを特徴とする車両用前照灯装置。
【請求項１４】
請求項１〜１３のいずれか１項において、上記車両用前照灯装置は、車両の速度を検出する車速検出手段を有してなり、
上記制御手段は、上記車速検出手段から入力した車速と、上記道路データ出力手段から入力した上記道路データとに基づいて、所定時間Ｔ秒後の予測車両位置を計算し、該予測車両位置を見込む方向を上記道路方向として設定するように構成してあることを特徴とする車両用前照灯装置。
【発明の詳細な説明】
【技術分野】
【０００１】
本発明は、車両の前面に配設された前照灯について、その光軸を調整可能に構成した車両用前照灯装置に関する。
【背景技術】
【０００２】
従来、ステアリングに入力された操舵角に応じて、車両の前面に配設した前照灯の光軸方向を、道路面と略平行な面内において変更し得るよう構成した車両用前照灯装置がある（例えば、特許文献１参照。）。
しかし、一般に、車両を運転するドライバーは、前方に延びる道路を目視しながら運転操作を実施するため、前方の道路形状に曲率変化があるような場合には、上記操舵角をそのまま維持したときの車両の進行方向と、実際の道路の方向とが必ずしも一致しない場合がある。
そのため、上記の車両用前照灯装置では、カーブ手前の直線道路等、道路曲率が急激に変動する状況において、ドライバーが目視したいと感じるカーブの先へ、前照灯の光軸を向けることが難しい。
【０００３】
そこで、前方の道路形状の曲率変化に対応するため、ＧＰＳ（Global Positioning System）等の位置検知手段による位置情報と、地図情報とを関連付けしたナビゲーションシステムと組み合わせてなり、該ナビゲーションシステムと協調して前照灯の光軸方向を制御するよう構成したナビ協調制御型の車両前照灯装置が提案されている（例えば、特許文献２参照。）。
このようなナビ協調制御型の車両前照灯装置は、前方の道路構造に関する情報を、事前に取得し得るため、道路曲率が変動する走行状況においても、前照灯の光軸を適切に道路方向に向けることが可能である。
【０００４】
しかしながら、上記従来のナビ協調制御型の車両用前照灯装置では、次のような問題がある。すなわち、ナビゲーションシステムが参照する電子地図情報の精度が十分でないと、前照灯の光軸を適切に制御することが難しくなる。
例えば、直線路からカーブへ侵入する際、車両用前照灯装置が認識する変曲点の位置に誤差があり、実際の道路の変曲点（直線路とコーナー路との接続点）との間にずれがあると、前照灯の光軸を調整するタイミングが早すぎたり、遅すぎたりするおそれがある。
さらに、車両の前方の道路構造に分岐路が含まれる場合には、いずれの分岐方向に進入するかについてのドライバーの意志を把握できなければ、前照灯の光軸方向を適正に調整することは困難である。
【０００５】
【特許文献１】特開昭６１−２１１１４６号公報（第２頁、第１図）
【特許文献２】特許第３１１１１５３号公報（明細書中の段落番号「００１１」〜「００１６」、第３図）
【発明の開示】
【発明が解決しようとする課題】
【０００６】
本発明は、かかる従来の問題点に鑑みてなされたもので、電子地図情報の精度や、道路構造の如何に関わらず、車両前方の視界を良好に確保し得るナビ協調制御型の車両用前照灯装置を提供しようとするものである。
【課題を解決するための手段】
【０００７】
本発明は、車両の前面に配設した左右一組の前照灯の光軸を、道路面に対して略水平な面内において調整可能に構成した車両用前照灯装置において、
車両位置を検知する位置検知センサ及び、電子地図情報を格納した地図データベースを含み、上記車両位置に基づいて上記地図データベースを参照し、車両の進路をなす道路の構造を表す道路データを出力する道路データ出力手段と、
上記前照灯のうち一方の前照灯である主灯の光軸方向を調整する第１のスイブル手段と、上記前照灯のうち他方の前照灯である副灯の光軸方向を調整する第２のスイブル手段と、
上記各スイブル手段を、それぞれ独立して制御するよう構成した制御手段とを有してなり、
該制御手段は、上記第２のスイブル手段とは独立して上記第１のスイブル手段を制御することにより、上記主灯の光軸方向のみを、上記道路データに基づいて算出した道路方向に一致するよう調整する片眼のナビ協調制御を実施可能に構成してあることを特徴とする車両用前照灯装置にある（請求項１）。
【０００８】
本発明の車両用前照灯装置は、上記道路データに基づいて上記第１のスイブル手段を制御することにより、上記主灯の光軸方向のみを上記道路データに基づいて調整する上記片眼のナビ協調制御を実施し得るように構成してある。
そのため、上記主灯により、前方の道路方向、すなわち、運転者の視線方向に当たる道路方向を適切に照明することができる。そして、上記の片眼のナビ協調制御によれば、もしも仮に、上記道路データに基づいて上記主灯の光軸が適切でない方向に調整されたような場合であっても、上記道路データとは独立して制御する上記副灯により、車両前方における一定の照明状態を確保することができる。
ここで、上記片眼のナビ協調制御を実施中の上記第２のスイブル手段の制御方法としては、上記副灯の光軸を車両軸と略一致するように調整する制御方法や、車両の操舵輪の切れ角との相関が高いステアリングの操舵角に基づいて上記副灯の光軸を調整する制御方法等が考えられる。
【発明を実施するための最良の形態】
【０００９】
本発明の上記位置検知センサとしては、人工衛星から発射される電波信号を利用して測位するＧＰＳセンサや、ガスレートセンサなどのヨーレートセンサ、ジャイロ等に基づく慣性航法方式により位置検出する慣性航法センサや、さらに両者を組み合わせて精度高く位置検出するハイブリッドセンサ等が考えられる。
また、上記前照灯としては、車両のヘッドライトを利用しても良く、その他、車両のヘッドライトとは別に配設した補助灯を利用することもできる。
【００１０】
また、上記制御手段は、上記道路データに基づいて、上記左右一組の前照灯のうちの一方を主灯に設定すると共に他方を副灯に設定して、上記片眼のナビ協調制御を実施するように構成してあることが好ましい（請求項２）。
この場合には、上記制御手段が、上記左右一組の前照灯のうちの一方を主灯に設定すると共に他方を副灯に設定する。そして、上記道路データに基づいて、上記第１のスイブル手段により上記主灯を制御することで、上記主灯の光軸方向のみを上記道路データに基づいて調整する上記片眼のナビ協調制御を実施する。
【００１１】
そのため、上記主灯により、前方の道路方向、すなわち、運転者の視線方向に当たる道路方向を適切に照明することができる。そして、上記の片眼のナビ協調制御によれば、たとえ、上記道路データに基づいて上記主灯の光軸が適切でない方向に調整されたような場合であっても、上記道路データとは独立して制御する上記副灯により、車両前方における一定の照明状態を確保することができる。
【００１２】
ここで、上記片眼のナビ協調制御における上記第２のスイブル手段の制御方法としては、上記副灯の光軸を車両軸と略一致するように調整する制御方法や、車両の操舵輪の切れ角との相関が高いステアリングの操舵角に基づいて上記副灯の光軸を調整する制御方法等が考えられる。
【００１３】
また、上記制御手段は、上記各スイブル手段を同様に制御することにより、上記主灯及び副灯の光軸を、上記道路データに基づいて算出した道路方向に一致するよう調整する両眼のナビ協調制御も実施可能であり、
該両眼のナビ協調制御と、上記片眼のナビ協調制御とを切り替えて実施するよう構成してあることが好ましい（請求項３）。
この場合には、上記片眼のナビ協調制御と上記両眼のナビ協調制御とを切り換えて実施することで、車両の前方の領域を適切に照明することができる。
【００１４】
また、上記車両用前照灯装置は、上記地図データベースに格納した上記電子地図情報を加工して、該電子地図情報の位置精度を向上する更新手段を有してなり、
上記制御手段は、上記道路データ出力手段から出力される上記道路データが、上記更新手段により位置精度を向上した上記電子地図情報に基づくデータであるか否かによって、上記片眼のナビ協調制御と上記両眼のナビ協調制御とを切り換えて実施するように構成してあることが好ましい（請求項４）。
【００１５】
この場合には、上記車両用前照灯装置は、上記車両位置に基づいて参照する上記電子地図情報の位置精度を、上記更新手段により向上してある場合には、信頼性の高い上記道路データに基づいて、上記両眼のナビ協調制御を実施する。
一方、上記車両位置に基づいて参照する上記電子地図情報について、上記更新手段による加工が未実施或いは十分でない場合には、上記前照灯のうち上記主灯の光軸方向のみを、上記道路データに基づいて制御する上記片眼のナビ協調制御を実施する。
【００１６】
そのため、上記車両用前照灯装置によれば、上記電子地図情報の位置精度が十分でないことに起因して上記主灯の光軸方向が誤って設定されても、上記副灯による照明によりドライバーの視界を確保することができる。
一方、上記電子地図情報の位置精度が向上してある場合には、精度の高い上記道路データに基づいて、両側の上記前照灯の光軸方向を適切に調整して、さらに良好に車両の進路方向を照明することができる。
【００１７】
なお、上記更新手段としては、自車両が実走行した際に採取し、その都度、保存した位置データに基づいて、上記電子地図情報が有する位置情報を更新してその上記位置精度を向上する方法や、外部のサーバー等との通信を可能とする通信手段等を介して、高精度な地図情報を取得し、該地図情報を用いて上記電子地図情報の上記位置精度を向上する方法等がある。
【００１８】
また、上記道路データは、道路の種別を表す種別情報を有してなり、上記制御手段は、上記道路データが表す道路の種別に応じて、上記片眼のナビ協調制御を実施するか上記両眼のナビ協調制御を実施するかを切り換えるように構成してあることが好ましい（請求項５）。
【００１９】
この場合には、幹線道路や主要国道など、一般に、上記電子地図情報における位置精度が高いと期待できる道路では、精度の高い上記道路データに基づいて、上記両眼のナビ協調制御を実施することで車両の前方をさらに良好に照明することができる。
一方、一般道など、位置精度が十分に期待できない道路では、上記片眼のナビ協調制御を実施することで、上記主灯の光軸方向の適否によらず、上記副灯によりドライバーの視界を確保することができる。
【００２０】
また、上記車両用前照灯装置は、ステアリングの操舵角を検出する操舵角検出手段を有してなり、
上記制御手段は、上記片眼のナビ協調制御においては、上記操舵角に基づいて車両の推定進路の方向を演算すると共に、上記第２のスイブル手段を制御して、上記副灯の光軸の方向を、上記推定進路の方向に一致するよう調整するように構成してあることが好ましい（請求項６）。
【００２１】
この場合には、上記片眼のナビ協調制御を実施している間に、上記副灯を上記推定進路の方向に向けることにより、上記主灯の光軸方向が誤って設定された場合にも、上記副灯による照明により、車両の進行方向を照明することができる。
【００２２】
また、上記車両用前照灯装置は、ステアリングの操舵角を検出する操舵角検出手段を有してなり、
上記制御手段は、上記操舵角に基づいて、車両の推定進路の方向を演算するように構成してあり、上記道路データに基づいて調整した上記前照灯の光軸の方向と、上記推定進路の方向との角度偏差が、所定の角度の範囲にあるときに上記ナビ協調制御を実施し、上記角度偏差が上記所定の角度の範囲を超えたときは上記ナビ協調制御を実施しないように構成してあり、
上記制御手段は、上記角度偏差が上記所定の角度を超えた後の所定の時間をかけて、上記前照灯の光軸の方向を、上記推定進路の方向に一致するよう調整する復帰制御を実施するように構成してあることが好ましい（請求項７）。
【００２３】
この場合には、上記道路データに基づいて調整した上記前照灯の光軸の方向と、上記推定進路の方向との比較により、上記前照灯の光軸方向が誤っている可能性があることを検知することができる。
そしてその後、上記所定の時間をかけて上記復帰制御を実施することにより、ドライバーに違和感を与えるおそれ少なく、上記前照灯の光軸の方向を上記推定進路の方向に略一致させることができる。
ここで、上記所定の時間としては、３秒以下に設定するのが好ましい。この場合には、ドライバーが感じる違和感を抑制できると共に、上記前照灯の光軸の方向を速やかに回復することができる。
【００２４】
また、上記主灯は、上記左右一組の前照灯のうち、車両の走行時に対向車線側に位置する前照灯であり、上記副灯は、上記左右一組の前照灯のうち、他方の前照灯であることが好ましい（請求項８）。
この場合には、対向車線側の上記前照灯により、車両の前方に延びる道路の方向を適切に照明することができる。
【００２５】
また、上記主灯は、上記左右一組の前照灯のうち、上記道路方向が向かう側にある前照灯であり、上記副灯は、上記左右一組の前照灯のうち、他方の前照灯であることが好ましい（請求項９）。
この場合には、上記左右一組の前照灯のうち上記道路方向が向かう側にある前照灯を、上記道路方向に向けることができる。
【００２６】
また、上記主灯は、上記左右一組の前照灯のうち、上記道路方向が変化する方向に当たる側の前照灯であり、上記副灯は、上記左右一組の前照灯のうち、他方の前照灯であることが好ましい（請求項１０）。
ここで、上記道路方向が変化する方向とは、前方道路の曲率が変化する方向をいう。例えば、直進路から右カーブへの進入時には右となり、右カーブから直進路への脱出時には左となる。また、例えば、Ｓ字カーブにおける、１つめの右カーブから２つめの左カーブへの進入時には、左となる。さらに、例えば、直進路から左カーブへの進入時には左となり、左カーブから直進路への脱出時には右となり、Ｓ字カーブにおける、１つめの左カーブから２つめの右カーブへの進入時には、右となる。さらには、上記変化する方向は、右カーブを走行中において、前方の道路形状がさらに小さな曲率の右カーブである場合には右となり、右カーブを走行中において、前方の道路形状が大きな曲率の右カーブである場合には左となる。
【００２７】
あるいは、上記道路形状を、右カーブ側をプラスとし、左カーブ側をマイナスとし、直進路を中立ゼロとした曲率により表現すると、上記変化する方向を、次のように数学的に表現することができる。すなわち、上記道路形状を表現する曲率を時間的に微分した微分値がプラスであるときには、上記変化方向は右となり、上記微分値がマイナスであるときには、上記変化方向が左となる。
【００２８】
そして、上記のごとく上記変化する方向側の上記前照灯を、上記主灯として設定し、その光軸方向を上記道路方向に基づいて制御する場合には、前方の道路形状が変化するような走行状況において、通常、運転者の視線が向かう側に位置した上記前照灯を上記主灯として設定し、該主灯を用いて上記道路方向、すなわち、運転者が見たい方向を適切に照明することができる。
【００２９】
例えば、コーナーへの進入時には、左右前照灯のうち、前方のコーナーの内側に向かう運転者の視線の方向の側にある前照灯を主灯とし、反対側の前照灯を副灯とすることができる。また、コーナーからの脱出時（コーナーから直線への遷移時）には、コーナーの内側に向かっていた運転者の視線の方向が外側に向かって戻るように変化するのに応じて、左右前照灯のうち、運転者の視線の方向が変化して向かう側にある前照灯を主灯とし、反対側の前照灯を副灯とすることができる。
【００３０】
また、車両の右側に配設した上記前照灯の光軸の方向の調整範囲は、車両軸と平行な中心軸から右側外方に拡がる所定の範囲に制限してあり、車両の左側に配設した上記前照灯の光軸の方向の調整範囲は、車両軸と平行な中心軸から左側外方に拡がる所定の範囲に制限してあることが好ましい（請求項１１）。
この場合には、上記左右一組の前照灯による照明領域を、水平方向に拡大して、ドライバーの視界を広く確保することができる。
【００３１】
また、上記制御手段は、車両に搭載したナビゲーションシステムが経路案内を実施しているか否かを示すモード信号を入力すると共に、上記ナビゲーションシステムが経路案内を実施している最中に上記ナビ協調制御を実施し、経路案内を実施していないときには上記ナビ協調制御を実施しないように構成してあることが好ましい（請求項１２）。
この場合には、車両の前方に分岐路や交差点等が有る場合であっても、車両が進入する方向を、事前に、確実性高く把握することができる。
そのため、車両の進路をなす道路構造の如何によらず、上記前照灯の光軸を、車両が進入する道路方向に向けることができる。
【００３２】
また、上記道路データ出力手段が出力する上記道路データは、道路の種別を表す種別情報を有してなり、上記制御手段は、上記道路データが表す道路の種別に応じて、上記ナビ協調制御を実施するか否かを切り換えるように構成してあることが好ましい（請求項１３）。
この場合には、一般道や、山道など、一般に、上記電子地図情報における位置精度を十分に期待できない道路では、上記ナビ協調制御を中止することで、上記車両用前照灯装置の誤動作を未然に回避することができる。
【００３３】
さらに、上記道路データとして分岐路や、交差点などを特定する情報を含めた場合には、例えば、分岐路や交差点など、運転者の意志により進行方向を選択し得る走行状況において上記ナビ協調制御を中止することで、上記車両用前照灯装置の誤動作を未然に回避できる。
【００３４】
また、上記車両用前照灯装置は、車両の速度を検出する車速検出手段を有してなり、
上記制御手段は、上記車速検出手段から入力した車速と、上記道路データ出力手段から入力した上記道路データとに基づいて、所定時間Ｔ秒後の予測車両位置を計算し、該予測車両位置を見込む方向を上記道路方向として設定するように構成してあることが好ましい（請求項１４）。
【００３５】
この場合には、上記道路データと上記車速との組み合わせにより上記予測車両位置を予測し、該予測車両位置を見込む方向に上記前照灯の光軸方向を向けることで、車速が低いほど近くに、車速が高いほど遠くに設定される傾向があるドライバーの注視領域を、適切に照明することができる。
【実施例】
【００３６】
（実施例１）
本例の車両用前照灯装置１について、図１〜図２３を用いて説明する。
本例の車両用前照灯装置１は、図１に示すごとく、車両１００の前面に配設した左右一組の前照灯１１０、１２０の光軸を水平方向に調整可能に構成してなる。
上記車両用前照灯装置１は、車両位置を検知する位置検知センサ２１及び、電子地図情報を格納した地図データベース２２を含み、車両位置に基づいて地図データベース２２を参照し、車両１００の進路をなす道路の構造を表す道路データを出力する道路データ出力手段２０と、前照灯１１０、１２０のうち一方の前照灯である主灯（本例では、前照灯１１０。）の光軸方向を調整する第１のスイブル手段（本例では、スイブル装置１１。）と、上記前照灯１１０、１２０のうち他方の前照灯である副灯（本例では、前照灯１２０。）の光軸方向を調整する第２のスイブル手段（本例では、スイブル装置１２。）と、上記各スイブル装置１１、１２を、それぞれ独立して制御するよう構成した制御手段（本例では、配光制御ＥＣＵ３０）とを有してなる。
【００３７】
そして、この配光制御ＥＣＵ３０は、第２のスイブル装置１２とは独立して第１のスイブル装置１１を制御することにより、前照灯１１０の光軸方向のみを、道路データに基づいて算出した道路方向に一致するよう調整する片眼のナビ協調制御を実施するように構成してある。
以下に、この内容について詳しく説明する。
【００３８】
本例の車両用前照灯装置１は、上記のほか、図１に示すごとく、車両１００の走行速度を検出する車速センサ５０と、ステアリング４１の操舵角を検出するステアリング舵角センサ４０とを有してなり、これらのセンサの出力信号を配光制御ＥＣＵ３０に入力するように構成してある。
【００３９】
また、本例の車両用前照灯装置１では、上記道路データ出力手段２０として、人工衛星が発信するＧＰＳ電波を受信するＧＰＳアンテナ２０３と、経路案内等を実施するナビＥＣＵ２０２と、地図表示用のディスプレイ２０１とを有してなるナビゲーションシステム２００の一部の機能等を利用するように構成してある。
【００４０】
すなわち、本例の車両用前照灯装置１では、ＧＰＳアンテナ２０３、ジャイロセンサ２０４（図２参照。）及び車速センサ５０の信号を入力して車両の絶対位置を演算するナビゲーションシステム２００の測位機能を、上記位置検出センサ２１として利用している。
また、車両用前照灯装置１では、ナビゲーションシステム２００における電子地図情報を格納したハードディスク装置２０６（図２）を、上記地図データベース２２として利用している。
【００４１】
ここで、上記のナビゲーションシステム２００について簡単に説明する。
該ナビゲーションシステム２００の心臓部をなすナビＥＣＵ２０２は、図２に示すごとく、ＣＰＵ２１０と、Ｉ／Ｏ回路２０８と、ＲＯＭ２０４と、ＲＡＭ２０５と、地図データベース２２（図１）としてのハードディスク装置２０６とを有してなる。
【００４２】
このナビＥＣＵ２０２は、Ｉ／Ｏ回路２０８を介して、ＧＰＳアンテナ２０３、車速センサ５０、ジャイロセンサ２０４の出力信号を入力すると共に、ディスプレイ２０１及び上記配光制御ＥＣＵ３０に対して制御信号を出力するように構成してある。
【００４３】
ナビＥＣＵ２０２において、上記位置検出センサ２１をなす位置検出部（図示略）は、車速センサ５０による車速及びジャイロセンサの出力信号に基づいて自車位置を演算すると共に、周知のマップマッチングによる補正、及び、ＧＰＳレシーバ（図示略）の測位情報による補正により、正確な自車位置を演算できるように構成してある。
【００４４】
そして、ナビＥＣＵ２０２は、上記位置検出部により検出した自車位置に基づいて、ハードディスク装置２０６に格納した電子地図情報を参照すると共に、該参照した電子地図情報を基に、描画用ＡＳＩＣ２２０を用いて地図画像を展開するように構成してある。
そして、上記ディスプレイ２０１は、ナビＥＣＵ２０２の出力する上記地図画像を表示するように構成してある。
【００４５】
ここで、ハードディスク装置２０６に格納した上記電子地図情報のうち道路の形状や、分岐路や直線路など道路属性等の道路構造に関する情報は、図３に示すごとく、周知のベクター法に基づき、道路１０１の経由点としての複数のノード２２９（節）と、ノード間の隣接関係を表すアーク２３９（線弧）とによって表現してある。
【００４６】
上記ノード２２９は、道路１０１の経由点のうち、少なくとも、道路曲率の変曲点１０３や、交差点１０２などの遷移点ごとに配置してある。
そして、ノード２２９の配置間隔は、道路形状や道路種別等によって相違しており、直線路では粗く、曲線路では密に設定してあり、また、幹線道路や主要国道などでは、一般道と比べて密に設定してある。
【００４７】
特に、本例のナビゲーションシステム２００は、図４に示すごとく、上記道路データ出力手段２０として機能するように構成してある。そして、該道路データ出力手段２０としては、上記道路データとして車両１００の走行方向の前方直近にある第１ノード２２１、後方直近にある第０ノード２２０及び上記第１ノード２２１と隣接する第２ノード２２２の各ノードデータと、第０ノード２２０と第１ノード２２１とを接続する第１アーク２３１及び第１ノード２２１と第２ノード２２２とを接続する第２アーク２３２の各アークデータを、配光制御ＥＣＵ３０に出力するように構成してある。
加えて、本例のナビゲーションシステム２００は、該ナビゲーションシステム２００が経路案内中であるか否かを表すモード信号（経路案内中では１、それ以外では０）を、配光制御ＥＣＵ３０に出力するように構成してある。
【００４８】
なお、本例のナビゲーションシステム２００が出力するノードデータは、図４に示すごとく、各ノード２２０〜２２２を特定するＩＤデータと、自車位置を基準にした各ノード２２０〜２２２の３次元的な相対位置を表す３次元位置データと、交差点、主要国道、幹線道路、高速道路、分岐路等の道路種別を表す属性データとを組み合わせてなるデータである。
また、上記アークデータは、各アーク２３１、２３２の両端に位置するノードの各ＩＤデータと、ノード間を連結するアークの曲率を表す曲率データとを組み合わせてなるデータである。
【００４９】
特に、本例の車両用前照灯装置１は、ナビゲーションシステム２００による経路案内中（上記モード信号が１の状態。）に動作するように構成してあり、ナビゲーションシステム２００は、誘導する道路上に存在するノードを選択して、上記第２ノードとして出力するように構成してある。
例えば、ナビゲーションシステム２００は、上記第１ノードの道路種別が「交差点」である場合には、該「交差点」から分岐する経路の中から単一の第２ノード及び第２アークを選択して出力する。
【００５０】
また、本例の車両用前照灯装置１は、図１に示すごとく、車両１００の右側に主灯としての前照灯１１０（以下、適宜主灯１１０と記載。）を、車両の左側に上記副灯としての前照灯１２０（以下、適宜副灯１２０と記載。）を有している。
すなわち、本例では、左側通行が定められた交通法規（例えば、日本の交通法規）の下で、走行中に対向車線側に配置される前照灯を主灯１１０とし、他方の前照灯を副灯１２０としている。
そして、この車両用前照灯装置１では、主灯１１０の光軸は第１のスイブル装置１１により調整し、副灯１２０の光軸は第２のスイブル装置１２により調整できるように構成してある。
【００５１】
本例のスイブル装置１１、１２は、図５に示すごとく、制御信号線１１４を介して配光制御ＥＣＵ３０（図１）と電気的に接続したモータ１１３と、互いにネジ係合するウォームギア１１２とウォームホィール１１１との組み合わせからなる駆動機構とからなる。
【００５２】
ウォームギア１１２は、図５に示すごとく、モータ１１３の出力軸と一体回転するように構成してある。また、ウォームホィール１１１は、前照灯１１０、１２０の光軸を水平方向に揺動させるための回転軸１１５と一体回転するように構成してある。
【００５３】
そして、上記スイブル装置１１、１２では、図５に示すごとく、モータ１１３の回転力を上記回転軸１１５に伝達することにより、前照灯１１０、１２０の光軸を水平方向に変更し得るように構成してある。
なお、本例の車両用前照灯装置１では、図１に示すごとく、主灯１１０及び副灯１２０の光軸を、それぞれ、車両軸１０１を中心として水平方向にア１５度（図１にＡｒで示す角度範囲。）の範囲で調整可能に構成してある。
【００５４】
上記ステアリング舵角センサ４０は、図１に示すごとく、ステアリングシャフト４１１の外周側に配設してあり、ステアリング４１に入力された操作量である操舵角を計測し、配光制御ＥＣＵ３０に出力するように構成してある。
上記車速センサ５０は、同図に示すごとく、左側の転舵輪の回転を検出すると共に、検出した車速を配光制御ＥＣＵ３０に出力するように構成したセンサである。
これに代えて、両側の転舵輪の回転を検出できるよう、左右の転舵輪それぞれに車速センサを配設するのも良い。この場合には、車速の計測精度を、さらに向上することができる。
【００５５】
上記配光制御ＥＣＵ３０は、図６に示すごとく、中央演算処理装置３１と、処理プログラム等を格納するＲＯＭ３４（Read Only Memory）、一時記憶用のメモリエリアとしてのＲＡＭ３３（Random Access Memory）と、各種信号の入出力を行うＩ／Ｏ回路３２とを有する装置である。
【００５６】
本例の配光制御ＥＣＵ３０は、Ｉ／Ｏ回路４４を介して、上記ナビゲーションシステム２００、ステアリング舵角センサ４０、車速センサ５０及びスイブル装置１１、１２と電気的に接続してある。
ここで、特に、本例の配光制御ＥＣＵ３０は、ナビゲーションシステム２００の一部の機能である上記道路データ出力手段２０から、上記道路データ及び上記モード信号を入力するように構成してある。
【００５７】
また、上記配光制御ＥＣＵ３０のＲＯＭ３４には、車両用前照灯装置１の配光制御を実施するための制御プログラムを格納してある。
該制御プログラムは、上記道路データ等に基づいて道路方向を計算する第１のサブプログラムと、操舵角等に基づいて推定進路方向を計算する第２のサブプログラムと、各スイブル装置１１、１２を制御する第３のサブプログラムとを有するプログラムである。
【００５８】
ここで、本例では、上記道路方向としては、道路データ出力手段２０から入力した上記道路データ及び、車速センサ５０から入力した車速に基づいて、所定時間後に予測される予測車両位置を見込む方向を規定してある。
また、上記推定進路方向としては、ステアリングに入力された操舵角及び、車速センサ５０から入力した車速に基づいて、所定時間後に予測される予測車両位置を見込む方向を規定してある。
【００５９】
上記第１のサブプログラムは、図７に示すごとく、第０ノード２２０、第１ノード２２１及び、第２ノード２２２と、第１アーク２３１及び第２アーク２３２の各データに基づいて、車両１００を座標原点とした３次元的な道路形状を再現すると共に、車速Ｖ（ｍ／秒）を維持して該道路形状よりなる経路を走行した際、所定時間Ｔ秒後に到達する車両１０９の位置を算出する計算ルーチンである。
【００６０】
そして、この第１のサブプログラムは、現時点の車両１００と、Ｔ秒後の車両１０９との位置関係に基づいて、Ｔ秒後の車両１０９を見込む角度θnavを算出するように構成してある。
なお、本例では、上記所定時間Ｔとしては、予め、３秒を設定した。
これに代えて、運転席周辺に設けた調整スイッチ等により所定時間Ｔを変更可能に構成し、ドライバーの好みや運転習熟度等に合わせて調整できるように構成するのも良い。
さらに、上記ノードの属性データが表す道路種別によって、上記所定時間Ｔを変更することもできる。例えば、車両の近傍領域に対する注意負担が比較的少ない自動車専用道路等では、この所定時間Ｔを長く設定することにより、より遠方の領域を適切に照明することができる。
【００６１】
上記第２のサブプログラムは、図８に示すごとく、上記ステアリング舵角センサ４０により検出した操舵角を基にして、転舵輪４００の転舵角αを算出すると共に、該転舵角α及び車速を、そのまま維持して走行した場合の車両１００の推定進路を計算する計算ルーチンである。
そして、該推定進路に基づいて、現時点の車両１００の位置と、所定時間Ｔ秒後に予測される車両１０８との位置関係から、該車両１０８を見込む角度θstrを算出するように構成してある。
なお、本例では、第２のサブプログラムの所定時間は、第１のサブプログラムと同じ３秒を設定してあるが、第１のサブプログラムの所定時間と、第２のサブプログラムの所定時間とを相違して設定することもできる。
【００６２】
上記第３のサブプログラムは、第１のサブプログラムの計算結果であるθnavと、第２のサブプログラムの計算結果であるθstr、上記モード信号等とに基づいて、主灯１１０の光軸を調整するスイブル装置１１及び副灯１２０の光軸を調整するスイブル装置１２を制御するプログラムである。
【００６３】
次に、本例の車両用前照灯装置１による配光制御について説明する。この配光制御は、図９に示す制御フローチャートに基づいて実行される。
以下に、この制御フローチャートに示した各制御ステップの内容について説明する。
【００６４】
ステップＳ１１０は、ヘッドライトの点灯状態を示すライトスイッチがＯＮ状態にあるか否かを判断するステップである。ライトスイッチがＯＮ状態にあれば、ステップＳ１２０に移行する。
このステップＳ１２０は、車速センサ５０、ステアリング舵角センサ４０から、車速、ステアリング４１の操舵角を入力するステップである。
また、ステップＳ１３０は、上記道路データ出力手段２０から上記の道路データを入力すると共に、経路案内動作中であるか否かを表す上記モード信号を入力するステップである。
【００６５】
ステップＳ１４０は、上記第１のサブプログラム及び、上記第２のサブプログラムを実行して、上記の角度θnav（図７）及びθstr（図８）を算出するステップである。
そして、ステップＳ１５０では、各スイブル装置１１、１２に適用する制御を切り替えるための判断処理を実施する。
本例のステップＳ１５０は、ナビゲーションシステム２００が経路案内中であるか否かを表す上記モード信号が１（経路案内中）であると共に、θnavとθstrの正負が同じで、かつ、θnav−θstr＞０（右コーナー進入時又は左コーナー脱出時）であるか、或いは、θnavとθstrの正負が同じで、かつ、θnav−θstr＜０（右コーナー脱出時又は左コーナー進入時）であるときにステップＳ１６１に移行し、それ以外の場合は、ステップＳ１６２に移行するように構成してある。なお、ここで、本例のθnav及びθstrは、右方向側を正とし、中立をゼロ値としてある。
【００６６】
ステップＳ１６１では、上記片眼のナビ協調制御を実施する。すなわち、このステップでは、主灯１１０の光軸が車軸に対してθnavをなすようにスイブル装置１１を制御すると共に、副灯１２０の光軸が車軸に対してθstrをなすようにスイブル装置１２を制御する。
一方、ステップＳ１６２では、主灯１１０及び副灯１２０の光軸が、共に車軸に対してθstrをなすようにスイブル装置１１、１２を制御する。
【００６７】
ここで、上記の制御フローチャートに基づく制御を、Ｊ字カーブとＳ字カーブの２種類の道路形状を例にして説明する。
まず、図１０に示すごとく、Ｊ字カーブについて説明する。このＪ字カーブは、同図に示すごとく、点Ａ〜点Ｂに至る直線区間と点Ｂ〜Ｃに至る曲線区間とを、点Ｂを変曲点として組み合わせてなる形状のカーブである。
【００６８】
ここで、車両１０の転舵輪４００の転舵角α（図８参照）は、Ｊ字カーブを通過する際、図１１に示すごとく変化する。なお、同図には、横軸に道路方向の位置を、縦軸には、右曲がり時を正値として表した転舵角αの大きさを示してある。
同図によれば、転舵角αは、ＡからＢの直線区間では中立（ゼロ値）に保持され、曲線区間が始まるＢを過ぎて徐々に大きくなり、曲率一定を呈するＣにおいて一定値Ｋを呈することが解る。
【００６９】
一方、上記第１のサブプログラムにより計算するθnav（図７）は、Ｊ字カーブを通過する際、図１３に示すごとく変化する。なお、同図には、横軸に道路方向の位置を、縦軸には、右曲がり時を正値として表したθnavの大きさを示してある。
配光制御ＥＣＵ３０は、上記のごとく、車両が直線区間であるＡＢ間にあるとき、事前に、前方の曲線区間であるＢＣ間の道路形状を取得し得る。
そのため、上記第１のサブプログラムにより計算するθnavは、図１２及び図１３に示すごとく、Ｂ点よりも手前の車両位置において、ゼロより大きい正値を示すことになる。
そして、図１３に示すごとく、曲率一定を呈するＣにおいて、上記転舵角αと同様に一定値を呈することになる。
【００７０】
そして、車両１００がＡ〜Ｃを走行している間において、上記のステップＳ１５０の判断条件に合致していれば、ステップＳ１６１において、主灯１１０は、その光軸と車軸とのなす角が上記θnavとなるように制御される。
それ故、上記主灯１１０の光軸方向は、図１３に示すごとく、Ｂ点よりも手前の位置から、その光軸の方向がカーブの出口側（Ｃ側）に近く向くように制御されることになる。
【００７１】
一方、副灯１２０は、その光軸と車軸とのなす角が、上記第２のサブプログラムで計算するθstrとなるように制御される。
このθstrは、転舵輪４００の転舵角α（図１１）との相関が高く、該転舵角が０であるときには、０値をとる角度である。
そのため、副灯１２０の光軸は、図１４に示すごとく、車両１０がＢ点に至るまで中立位置にあり、車両１０がＢ点を過ぎるに従って、車軸とのなす角が徐々に大きくなる（点Ｃ側に向かう）ように制御されることになる。
【００７２】
次に、Ｓ字カーブは、図１５に示すごとく、Ａ〜Ｂに至る１つめの左コーナー区間と、Ｂ〜Ｃに至る２つめの右コーナー区間とを、Ｂを変曲点として組み合わせた複合形状を呈するカーブである。
車両１０の転舵輪４００の転舵角α（図８）は、このＳ字カーブを通過する際、図１６に示すごとく変化する。なお、同図には、横軸に道路方向の位置を、縦軸には、右曲がり時を正値として表した転舵角を示してある。
同図によれば、一定曲率を呈するＡ近傍又はＣ近傍では、転舵角αは、負値又は正値の一定値Ｓ又はＲを呈する。そして、転舵角αは、変曲点であるＢ点をゼロクロス点として負値から正値に変化する。
【００７３】
一方、上記第１のサブプログラムにより計算するθnav（図７）は、Ｓ字カーブを通過する際、図１８に示すごとく変化する。なお、同図には、横軸に道路方向の位置を、縦軸には、右曲がり時を正値として表したθnavの大きさを示してある。
配光制御ＥＣＵ３０は、上記のごとく、車両が左コーナー区間であるＡＢ間にあるとき、事前に、右コーナー区間であるＢＣ間の道路形状を取得し得る。
そのため、上記第１のサブプログラムにより計算するθnavは、図１７及び図１８に示すごとく、変曲点であるＢ点よりも手前の位置において負値（左曲がり側）から正値（右曲がり側）に反転することになる。
【００７４】
そして、車両１００がＡ〜Ｃを走行している間において、上記のステップＳ１５０の判断条件に合致していれば、ステップＳ１６１において、主灯１１０は、その光軸と車軸とのなす角が上記θnavとなるように制御される。
そうすると、上記主灯１１０の光軸方向は、図１８に示すごとく、Ｂ点よりも手前の位置において、正値（車軸に対して傾く状態。）を呈するように制御されることになる。
【００７５】
一方、副灯１２０は、その光軸と車軸とのなす角が、上記配光制御ＥＣＵ３０で計算するθstrとなるように制御される。
該θstrは、転舵輪４００の転舵角α（図１６）との相関が高く、該転舵角αが０であるときには、θstrは必ず０値をとるという角度である。
そのため、副灯１２０の光軸方向は、図１９に示すごとく、Ｂ点において車軸とのなす角がゼロとなり、その前後で正負反転するように制御されることになる。
【００７６】
なお、本例のごとく各前照灯１１０、１２０の光軸調整範囲を、車軸を中心として両側に設定するのに代えて、前照灯１１０、１２０の各光軸調整範囲を、車両軸と平行な中心軸方向よりも外側のみに設定することもできる。
この場合には、主灯１１０の光軸は、図２０（Ｊ字カーブ）、図２２（Ｓ字カーブ）に示すごとく制御され、副灯１２０の光軸は、図２１（Ｊ字カーブ）あるいは図２３（Ｓ字カーブ）に示すごとく制御されるようになる。
【００７７】
さらになお、本例では、主灯１１０を対向車線側の前照灯に固定したが、これに代えて、前方カーブの曲がり方向の内側に配置した前照灯が主灯になるように、適宜、主灯と副灯とを切り替えるように制御することもできる。
【００７８】
（実施例２）
本例は、実施例１を基にして、ナビ協調制御を実施するか否かの判断内容を変更した例である。この内容について、図２４を用いて説明する。
本例の車両用前照灯装置１は、図２４に示すごとく、制御フローチャートに基づいて制御されるように構成してある。
【００７９】
本例では、実施例１の制御フローチャート（図９）に基づいて、実施例１のステップＳ１５０を、ステップＳ１５１に置換した例である。
すなわち、本例のステップＳ１５１は、第１ノードの属性データを参照するように構成してある。
そして、ステップＳ１５１では、第１ノードが「交差点」及び「分岐路」以外の属性データを有していると共に、θnavとθstrの正負が同じで、かつ、θnav−θstr＞０（右コーナー進入時又は左コーナー脱出時）であるか、或いは、θnavとθstrの正負が同じで、かつ、θnav−θstr＜０（右コーナー脱出時又は左コーナー進入時）であるときに実施例１と同様の片眼のナビ協調制御（ステップＳ１６１）を実施し、それ以外の場合には、非ナビ協調制御（ステップＳ１６２）を実施するように構成してある。
【００８０】
すなわち、本例の車両用前照灯装置１では、第１ノードの属性が「交差点」、「分岐路」であって、上記第２ノード及び上記第２アークの候補が複数、存在し得るような状況では、誤制御の未然防止のためにナビ協調制御を中断するように構成してある。
なお、その他の構成及び作用効果は、実施例１と同様である。
【００８１】
（実施例３）
本例は、実施例１を基にして、上記θnavに応じて主灯のみを制御する片眼のナビ協調制御と、上記θnavに応じて両側の前照灯を制御する両眼のナビ協調制御との２種類のナビ協調制御を切り替えて実施した例である。この内容について、図２５を用いて説明する。
本例の車両用前照灯装置１は、ナビ協調制御において、上記道路データのうち道路種別を表す属性データに基づいて、上記の２種類のナビ協調制御を選択的に実施するように構成してある。
【００８２】
本例の車両用前照灯装置１は、図２５に示す制御フローチャートに沿って制御されるように構成してある。
この制御フローチャートは、実施例１と同様のステップＳ１５０の判断ステップの後、さらに、上記属性データが、予め設定した所定の道路種別群に含まれるか否かを判断するステップＳ１５５を実施するように構成してある。
【００８３】
そして、ステップＳ１５５では、上記属性データが、所定の道路種別を表すものであるときには、ステップＳ１６３に移行し、上記両眼のナビ協調制御を実施する。このステップでは、両側の前照灯１１０、１２０の光軸と車軸とのなす角が、θnavとなるようにスイブル装置１１、１２を制御する。
一方、上記種別データが、所定の道路種別を表すものではない場合には、ステップＳ１６１に移行し、上記片眼のナビ協調制御を実施する。このステップでは、実施例１のナビ協調制御と同様に、前照灯のうち主灯１１０のみをθnavに従って制御し、副灯１２０は、θstrに従って制御する。
【００８４】
ここで、上記所定の道路種別としては、本例では、電子地図情報の位置精度が高いことが期待できる有料道路、自動車専用道路又は国道を、予め設定した。
なお、その他の構成及び作用効果は、実施例１と同様である。
【００８５】
（実施例４）
本例は、実施例３に基づいて、上記片眼のナビ協調制御と、上記両眼のナビ協調制御とを切り替える条件を変更した例である。この内容について、図２６を用いて説明する。
本例では、図２６に示すごとく、実施例３のステップＳ１５５に代えて、ステップＳ１５６を実施する。
【００８６】
また、本例のナビゲーションシステム２００は、地図データベース２２に格納した電子地図情報の位置精度を向上するための地図更新機能を有している。
該地図更新機能は、車両１０が実走行する際に取得する位置情報に基づいて、電子地図情報中の対応する各ノードの位置データを、随時、補正して、その精度を向上するように更新する機能である。
そして、本例の地図更新機能は、各ノードの位置データを更新する毎に、各ノードの属性データ中に設定した更新カウンタを、カウントアップするように構成してある。
【００８７】
上記ステップＳ１５６は、上記更新カウンタが、予め設定した所定回数以上であるか否かを判断するステップである。
そして、ステップＳ１５６の判断条件を満たす場合には、ステップＳ１６３に移行して、主灯１１０及び副灯１２０を、上記θnavに基づいて制御する上記両眼のナビ協調制御を実施する。
一方、ステップＳ１５６の判断条件を満たさない場合には、ステップＳ１６１に移行して、主灯１１０のみを上記地図データに基づいて制御する上記片眼のナビ協調制御を実施する。
【００８８】
以上のように、本例の車両用前照灯装置１は、電子地図情報に含まれる位置データの精度が高い場合に限って、主灯１１０及び副灯１２０の両方を、上記θnavに従って制御するように構成してある。
ここで、上記の車両用前照灯装置１の地図更新機能は、実走行時に取得する位置情報に基づいて、電子地図情報の位置データを更新し、その精度を向上するように構成してある。
【００８９】
なお、その他の構成及び作用効果については、実施例３と同様である。
また、上記地図更新機能としては、携帯電話等の通信手段を介して、外部の地図データベースセンター等から、高精度な位置情報を取得する機能であっても良い。
そして、この場合には、上記ステップＳ１５６において、対象とするノードについて、外部から位置情報を取得済みであるか否かの判断を実施することができる。
【００９０】
（実施例５）
本例は、実施例１に基づいて、主灯と副灯とを走行状況に応じて切り替えるように制御した例である。この内容について、図２７〜図３７を用いて説明する。
本例では、図２７に示すごとく、θnavの時間微分であるｄ（θnav）／ｄｔの値に応じて（ステップＳ１５２）、ナビ協調制御を行うか（ステップＳ１６４あるいはＳ１６５）、非ナビ協調制御（ステップＳ１６２）を行うかの切り替え、及び、主灯副灯の切り替え（ステップＳ１６４、ステップＳ１６５）実施するように構成した制御フローチャートに基づいて、上記車両用前照灯装置を制御した。
【００９１】
この制御の内容について、図２８に示すごとく右コーナーと、図３３に示すごとくＳ字カーブの２種類の道路形状を例にして説明する。なお、本例のステップＳ１５２は、実施例１の同様の許可信号が１であることを前提に、条件判断を行うように構成してあり、許可信号が１以外であるときには、ステップＳ１６２に移行するように構成してある。
【００９２】
まず、図２８に示すごとく、右コーナーは、点Ａ〜点Ｃに至る直線区間と点Ｃ〜点Ｇに至る曲線区間と点Ｇ〜点Ｈの直線区間とを組み合わせてなる右カーブの道路形状である。なお、ここで、上記曲線区間のうち、点Ｄ〜点Ｆの区間が一定曲率を呈する区間であり、その前後の点Ｃ〜点Ｄ及び点Ｆ〜点Ｇは、曲率が徐々に変化する、いわゆる徐変区間である。
【００９３】
この右コーナーを走行する際、車両の転舵輪の転舵角α（図８参照。）は、図２９に示すごとく変化する。なお、同図には、横軸に道路方向の位置を、縦軸には、右曲がり時を正値として表した転舵角αの大きさを示してある。
すなわち、転舵角αは、点Ａ〜点Ｃの直線区間では中立（ゼロ値）に保持され、曲線区間が始まる点Ｃを過ぎて点Ｄに至るまでの区間で徐々に大きくなり、そして、点Ｄ〜点Ｆの区間で略一定の転舵角α＝Ｋとなる。その後、一定曲率区間（点Ｄ〜点Ｆ）を過ぎた点Ｆ〜点Ｇの区間では、転舵角αが徐々に小さくなり、直線区間である点Ｇ〜点Ｈに至って中立（ゼロ値）となる。
なお、実施例１において説明したように、この転舵各αは、上記第２のサブプログラムによって計算される上記θstr（図８参照。）と高い相関関係を有するものである。
【００９４】
一方、実施例１と同様の第１のサブプログラムにより計算するθnav（図７参照。）は、上記の右コーナーでは、図３０に示すごとく変化する。なお、同図には、横軸に道路方向の位置を、縦軸には、右曲がり時を正値として表したθnavの大きさを示してある。
ここで、θnavを計算する上記配光制御ＥＣＵ（図１）は、車両が直線区間の終端点である点Ｃの手前の点Ｂ（点Ｃに到達する時点から、上記所定時間Ｔ＝３秒遡った時点の車両位置。）に到達したときに、点Ｃよりも前方の曲線区間の道路形状を取得する。また、同様に、車両が曲率一定区間の終端点である点Ｆの手前の点Ｅ（所定時間Ｔ＝３秒前の車両位置。）に到達したときに、点Ｆよりも前方の曲線変化区間の道路形状を取得する。
【００９５】
そのため、上記第１のサブプログラムにより計算するθnavは、図３０に示すごとく、点Ｃよりも手前の点Ｂを過ぎて、一定曲率区間の始まりである点Ｄに至るまで徐々に大きくなる。そして、上記θnavは、曲率一定区間の始まりである点Ｄを過ぎて略一定となり、その後、曲率一定区間の終わりである点Ｆよりも手前の点Ｅを過ぎて徐々に小さくなる。そしてその後、上記直線区間の始まりである点Ｇに至って、中立（ゼロ値）となる。
【００９６】
本例では、車両が点Ａ〜点Ｈよりなる右コーナー（図２８）を走行している間、図２７に示した制御フローチャートによって、車両用前照灯装置の制御を実施した。特に、本例では、上記ステップＳ１５２によりθnavの時間微分値であるｄ（θnav）／ｄｔの大きさを判断し、これにより、ナビ協調制御を実施するかしないか（ステップＳ１６２、Ｓ１６４、Ｓ１６５）及び、主灯を左右いずれの前照灯に設定するか（ステップＳ１６４、Ｓ１６５）を切り替える制御を実施した。図２８に示す点Ａ〜点Ｈまでの右コーナーを走行する間における上記の制御例を、図３１に示す。なお、同図では、横軸に道路方向の位置を規定し、縦軸には、３つの制御状態を示している。同図中、上側に位置した「右前照灯を主灯として片眼ナビ協調制御」という制御状態は、図２７におけるステップＳ１６４によるものを表し、下側に位置した「左前照灯を主灯として片眼ナビ協調制御」という制御状態は、図２７におけるステップＳ１６５によるものを表している。さらに、中間に位置した「非ナビ協調制御」という制御状態は、図２７におけるステップＳ１６２によるものを表している。
【００９７】
図３０及び図３１に示すごとく、点Ａ〜点Ｂの区間では、θnavが中立（ゼロ値）を維持しており、この区間ではｄ（θnav）／ｄｔもゼロであるため、ステップＳ１６２（図２７）に移行し、ナビ協調制御を停止する。このステップＳ１６２では、上記第２のサブプログラムによって計算される操舵角θstrと略一致するよう、左右両側の前照灯の光軸方向を調整する。
【００９８】
したがって、横軸に道路進行方向の位置を規定し、縦軸に右方向を正値として表した光軸角度を規定すると共に、破線に右前照灯の光軸角度を、実線に左前照灯の光軸角度を示した図３２に示すごとく、点Ａ〜点Ｂの区間では、左右前照灯の光軸方向は、図２９における点Ａ〜点Ｂ区間のθstr、すなわち中立（ゼロ値）に調整される。
【００９９】
その後、点Ｂ〜点Ｄの区間では、図３０に示すごとく、θnavが単調に増加し、このときには、ｄ（θnav）／ｄｔが、正値をとるため、ステップＳ１６４に移行する。このステップＳ１６４では、図３１及び図３２に示すごとく、主灯を右前照灯に設定してその光軸方向がθnav（図３０における点Ｂ〜点Ｄ区間のθnav。）となるように調整すると共に、副灯を左前照灯に設定してその光軸方向がθstr（図２９における点Ｂ〜点Ｄ区間のθstr。）となるように調整する。
【０１００】
そして、点Ｄ〜点Ｅの区間では、図３０に示すごとく、再び、θnavが略一定の値を維持し、このときには、ｄ（θnav）／ｄｔがゼロ値となるため、ステップＳ１６２に移行する。このステップＳ１６２では、図３１及び図３２に示すごとく、上記第２のサブプログラムによって計算される操舵角θstr（図２９における点Ｄ〜点Ｅ区間のθstr。）と略一致するよう、左右両側の前照灯の光軸方向を調整する。
【０１０１】
さらに、点Ｅ〜点Ｇの区間では、図３０に示すごとく、θnavが単調に減少し、このときには、ｄ（θnav）／ｄｔが負値となるため、ステップＳ１６５に移行する。このステップＳ１６５では、図３１及び図３２に示すごとく、主灯を左前照灯に設定してその光軸方向がθnav（図３０における点Ｅ〜点Ｇ区間のθnav。）となるように調整すると共に、副灯を右前照灯に設定してその光軸方向がθstr（図２９における点Ｅ〜点Ｇ区間のθstr。）となるように調整する。
【０１０２】
そして、その後の点Ｇ〜点Ｈの直線区間では、ｄ（θnav）／ｄｔがゼロ値となるため、ステップＳ１６２に移行する。このステップＳ１６２では、図３１及び図３２に示すごとく、上記第２のサブプログラムによって計算される操舵角θstr（図２９における点Ｇ〜点Ｈ区間のθstr。）と略一致するよう、左右両側の前照灯の光軸方向を調整する。
【０１０３】
すなわち、本例の制御では、図２８に示す右コーナーにおいては、コーナーの進入時（点Ｂ〜点Ｄの区間）には、コーナー内側である右前照灯が主灯に設定され、コーナーの脱出時（点Ｅ〜点Ｇの区間）には、コーナーの外側である左前照灯が主灯に設定され、それぞれ、主灯の光軸方向についてナビ協調制御を実施する。
【０１０４】
次に、図３３に示すごとく、Ａ〜Ｍに至るＳ字カーブにおける制御例について説明する。このＳ字カーブは、同図に示すごとく、点Ｃ〜点Ｈの左コーナー区間と、点Ｈ〜点Ｌの右コーナー区間とを、変曲点Ｈにより連結したものであり、その両端側には、さらに、直線区間点Ａ〜点Ｃ、直線区間点Ｌ〜点Ｍが接続されている。
なお、ここで、上記左コーナー区間である点Ｃ〜点Ｈのうち、点Ｄ〜点Ｆの区間が略一定曲率を呈する区間であり、その前後の点Ｃ〜点Ｄ及び点Ｆ〜点Ｈの区間は、曲率が徐々に変化する徐変区間である。また、上記右コーナー区間である点Ｈ〜点Ｌのうち、点Ｉ〜点Ｌの区間が略一定曲率を呈する区間であり、その前後の点Ｈ〜点Ｉ及び点Ｋ〜点Ｌの区間は、曲率が徐々に変化する徐変区間である。
【０１０５】
そして、上記のＳ字カーブーを走行する際、車両の転舵輪の転舵角α（図８参照。）は、図３４に示すごとく変化する。なお、同図には、横軸に道路方向の位置を、縦軸には、右曲がり時を正値として表した転舵角αの大きさを示してある。
すなわち、転舵角αは、点Ａ〜点Ｃの直線区間では中立（ゼロ値）に保持され、曲線区間が始まる点Ｃを過ぎて点Ｄに至るまでの区間で徐々に小さくなり、そして、点Ｄ〜点Ｆの区間で略一定の転舵角α＝Ｓとなる。その後、一定曲率区間（点Ｄ〜点Ｆ）を過ぎた点Ｆ〜点Ｈの区間では、転舵角αが徐々に大きくなり、右コーナー区間へ遷移する変曲点である点Ｈにおいて、ゼロ値となり、これがゼロクロス点となる。
【０１０６】
その後、点Ｈ〜点Ｉの区間では、転舵角αが、手前の点Ｆ〜点Ｈ区間から継続して、ゼロ値を超えてさらに大きくなり、そして、点Ｉ〜点Ｋの一定曲率区間で略一定の転舵角α＝Ｒとなる。その後、一定曲率区間（点Ｉ〜点Ｋ）を過ぎた点Ｋ〜点Ｌの区間では、転舵角αが徐々に小さくなり、直線区間である点Ｌ〜点Ｍにおいて再び中立（ゼロ値）となる。
なおここで、上記のごとく、この転舵各αは、上記第２のサブプログラムによって計算される上記θstr（図８参照。）と高い相関関係を有するものである。
【０１０７】
一方、実施例１と同様の第１のサブプログラムにより計算するθnav（図７参照。）は、上記のＳ字カーブを通過する際、図３５に示すごとく変化する。なお、同図には、横軸に道路方向の位置を、縦軸には、右曲がり時を正値として表したθnavの大きさを示してある。
ここで、θnavを計算する上記配光制御ＥＣＵ（図１）は、車両がＳ字カーブの始点である点Ｃの手前の点Ｂ（所定時間Ｔ＝３秒前の車両位置。）に到達したときに、点Ｃよりも前方の曲線区間の道路形状を取得する。また、同様に、車両が、１つめの左コーナー（点Ｃ〜点Ｈの区間。）のおける曲率一定区間の終点である点Ｆの手前の点Ｅ（所定時間Ｔ＝３秒前の車両位置。）に到達したときに、点Ｆよりも前方の曲線変化区間の道路形状を取得する。
【０１０８】
さらに、上記配光制御ＥＣＵ（図１）は、車両が、２つめの右コーナー（点Ｈ〜点Ｌの区間。）の始点である点Ｈの手前の点Ｇ（所定時間Ｔ＝３秒前の車両位置。）に到達したときに、点Ｈよりも前方の右コーナーの道路形状を取得するため、θnavのゼロクロス点は点Ｈよりも手前の位置となる。そして、点Ｉ〜点Ｋよりなる曲率略一定区間の終点である点Ｋの手前の点Ｊ（所定時間Ｔ＝３秒前の車両位置。）に到達したときに、上記配光制御ＥＣＵ（図１）は、点Ｋよりも前方の道路形状を取得する。
【０１０９】
そのため、上記第１のサブプログラムにより計算するθnavは、図３５に示すごとく、点Ｃよりも手前の点Ｂを過ぎて、一定曲率区間の始まりである点Ｄに至るまで徐々に小さくなる。そして、上記θnavは、この点Ｄを過ぎて略一定となり、その後、曲率一定区間の終わりである点Ｆよりも手前の点Ｅを過ぎて徐々に大きくなる。そしてその後、変曲点である点Ｈよりも手前に位置した点Ｇにおいてゼロクロスし、２つめの右コーナー（点Ｈ〜点Ｌの区間。）における略一定曲率区間の始点である点Ｉまで単調に増加していく。その後、θnavは、曲率一定区間の終わりである点Ｋよりも手前の点Ｊを過ぎて徐々に小さくなり、直線区間の始点である点Ｌに到達して中立（ゼロ値）をとる。
【０１１０】
本例では、車両が点Ａ〜点ＭよりなるＳ字カーブ（図３３）を走行している間、図２７に示した制御フローチャートによって、車両用前照灯装置の制御を実施した。ここでは、上記の右コーナーの場合（図２８）と同様、上記ステップＳ１５２によりθnavの時間微分値であるｄ（θnav）／ｄｔの大きさを判断し、これにより、ナビ協調制御を実施するかしないか（ステップＳ１６２、Ｓ１６４、Ｓ１６５）及び、主灯を左右いずれの前照灯に設定するか（ステップＳ１６４、Ｓ１６５）を切り替える制御を実施した。この制御例を、図３６に示す。なお、同図では、横軸に道路方向の位置を規定し、縦軸には、３つの制御状態を示している。同図中、上側に位置した「右前照灯を主灯として片眼ナビ協調制御」という制御状態は、図２７におけるステップＳ１６４によるものを表し、下側に位置した「左前照灯を主灯として片眼ナビ協調制御」という制御状態は、図２７におけるステップＳ１６５によるものを表している。さらに、中間に位置した「非ナビ協調制御」という制御状態は、図２７におけるステップＳ１６２によるものを表している。
【０１１１】
図３５及び図３６に示すごとく、点Ａ〜点Ｂの区間では、θnavが中立（ゼロ値）を維持しており、この区間ではｄ（θnav）／ｄｔもゼロであるため、ステップＳ１６２（図２７）に移行し、ナビ協調制御を停止する。このステップＳ１６２では、上記第２のサブプログラムによって計算される操舵角θstrと略一致するよう、左右両側の前照灯の光軸方向を調整する。
【０１１２】
したがって、横軸に道路進行方向の位置を規定し、縦軸に右方向を正値として表した光軸角度を規定すると共に、破線に右前照灯の光軸角度を、実線に左前照灯の光軸角度を示した図３７に示すごとく、点Ａ〜点Ｂの区間では、左右前照灯の光軸方向は、図３４における同区間のθstr、すなわち中立（ゼロ値）に調整される。
【０１１３】
その後、点Ｂ〜点Ｄの区間では、図３５に示すごとく、θnavが単調に減少し、このときには、ｄ（θnav）／ｄｔが、負値をとるため、ステップＳ１６５（図２７）に移行する。このステップＳ１６５では、図３６及び図３７に示すごとく、主灯を左前照灯に設定してその光軸方向がθnav（図３５における同区間のθnav。）となるように調整すると共に、副灯を右前照灯に設定してその光軸方向がθstr（図３４における同区間のθstr。）となるように調整する。
【０１１４】
そして、点Ｄ〜点Ｅの区間では、図３５に示すごとく、再び、θnavが略一定の値を維持し、このときには、ｄ（θnav）／ｄｔがゼロ値となるため、ステップＳ１６２に移行する。このステップＳ１６２では、図３６及び図３７に示すごとく、上記第２のサブプログラムによって計算される操舵角θstr（図３４における同区間のθstr。）と略一致するよう、左右両側の前照灯の光軸方向を調整する。
【０１１５】
さらに、点Ｅ〜点Ｉの区間では、図３５に示すごとく、θnavが単調に増加し、このときには、ｄ（θnav）／ｄｔが正値となるため、ステップＳ１６４に移行する。このステップＳ１６４では、図３６及び図３７に示すごとく、主灯を右前照灯に設定してその光軸方向がθnav（図３５における同区間のθnav。）となるように調整すると共に、副灯を左前照灯に設定してその光軸方向がθstr（図３４における同区間のθstr。）となるように調整する。
【０１１６】
そして、点Ｉ〜点Ｊの区間では、図３５に示すごとく、再び、θnavが略一定の値を維持し、このときには、ｄ（θnav）／ｄｔがゼロ値となるため、ステップＳ１６２に移行する。このステップＳ１６２では、図３６及び図３７に示すごとく、上記第２のサブプログラムによって計算される操舵角θstr（図３４における同区間のθstr。）と略一致するよう、左右両側の前照灯の光軸方向を調整する。
【０１１７】
さらに、点Ｊ〜点Ｌの区間では、図３５に示すごとく、θnavが単調に減少し、このときには、ｄ（θnav）／ｄｔが負値となるため、ステップＳ１６５に移行する。このステップＳ１６５では、図３６及び図３７に示すごとく、主灯を左前照灯に設定してその光軸方向がθnav（図３５における同区間のθnav。）となるように調整すると共に、副灯を右前照灯に設定してその光軸方向がθstr（図３４における同区間のθstr。）となるように調整する。
【０１１８】
そして、その後の点Ｌ〜点Ｍの直線区間では、ｄ（θnav）／ｄｔがゼロ値となるため、ステップＳ１６２に移行する。このステップＳ１６２では、図３６及び図３７に示すごとく、上記第２のサブプログラムによって計算される操舵角θstr（図３４における同区間のθstr。）と略一致するよう、左右両側の前照灯の光軸方向を調整する。
【０１１９】
以上のように、本例の制御によれば、図３３に示すＳ字カーブでは、１つめの左コーナーの進入時には、まず左側の前照灯が主灯に設定され、そして、その左コーナーの途中で主灯が右側の前照灯に切り替えられ、２つめの右コーナーの脱出時に、再び主灯が左側の前照灯に切り替えられる。
【０１２０】
本例の車両用前照灯装置では、左右前照灯のうち、運転者の視線方向が向かう側にある前照灯を主灯とし、該主灯をナビ協調制御する。そのため、上記車両用前照灯装置は、前方の道路形状に応じて、常に適切に前方を照射して、運転者の注視方向の明るさを確保でき、安全運転に役立つものとなる。
【０１２１】
なお、本例の図２７に示す制御フローチャートに代えて、図３８に示す制御フローチャートであっても、本例と略同様の制御内容を実現できる。図３８に示す制御フローチャートは、ｄ（θnav）／ｄｔの値の正負、ゼロ値を判断するステップＳ１５２を、（θnav−θstr）の値の正負、ゼロ値を判断するステップＳ１５３に置き換えたものである。
【０１２２】
この制御フローチャートによれば、本例と略同様、図２８に示す右コーナーにおいて、図３１に示すごとく主灯副灯の切り替え及び、ナビ協調制御と非ナビ協調制御との切り替えを実現でき、図３２に示すごとく、左右前照灯の光軸方向を制御することができる。さらにまた、この制御フローチャートによれば、本例と略同様、図３３に示すＳ字カーブにおいて、図３６に示すごとく主灯副灯の切り替え及び、ナビ協調制御と非ナビ協調制御との切り替えを実現でき、図３７に示すごとく、左右前照灯の光軸方向を制御することができる。
【０１２３】
また、図２７あるいは図３８に示す制御フローチャートにおけるステップＳ１５２あるいはステップＳ１５３では、ｄ（θnav）／ｄｔあるいは（θnav−θstr）の正負、略ゼロであるか否かを判断するにあたって、ゼロの近傍に所定のしきい値範囲を設けるのが良い。そして、この所定のしきい値範囲にあるときに、略ゼロと判断してステップＳ１６２に移行し、上記所定のしきい値範囲よりも小さいときに、負値と判断してステップＳ１６５に移行し、上記所定のしきい値範囲よりも大きいときに、正値と判断してステップＳ１６４に移行させるのが好ましい。
【図面の簡単な説明】
【０１２４】
【図１】実施例１における、車両用前照灯装置のシステム構成を示すブロック図。
【図２】実施例１における、ナビＥＣＵのハードウェア構成を示すブロック図。
【図３】実施例１における、ベクター法に基づく電子地図情報を説明する説明図。
【図４】実施例１における、道路データ出力手段が出力する道路データを説明する説明図。
【図５】実施例１における、前照灯及びスイブル装置を示す斜視図。
【図６】実施例１における、配光制御ＥＣＵのハードウェア構成を示すブロック図。
【図７】実施例１における、θnavを計算する方法を説明する説明図。
【図８】実施例１における、θstrを計算する方法を説明する説明図。
【図９】実施例１における、前照灯の光軸の制御手順を示すフロー図。
【図１０】実施例１における、Ｊ字カーブを示す説明図。
【図１１】実施例１における、Ｊ字カーブにおける転舵角の変化を示すグラフ。
【図１２】実施例１における、ＡＢ間を走行する際のθnavを示す説明図。
【図１３】実施例１における、Ｊ字カーブにおけるθnavの変化を示す説明図。
【図１４】実施例１における、Ｊ字カーブにおける副灯の光軸方向の変化を示す説明図。
【図１５】実施例１における、Ｓ字カーブを示す説明図。
【図１６】実施例１における、Ｓ字カーブにおける転舵角の変化を示すグラフ。
【図１７】実施例１における、ＡＢ間を走行する際のθnavを示す説明図。
【図１８】実施例１における、Ｓ字カーブにおけるθnavの変化を示す説明図。
【図１９】実施例１における、Ｓ字カーブにおける副灯の光軸方向の変化を示す説明図。
【図２０】実施例１における、その他の制御によるＪ字カーブにおける主灯の光軸方向の変化を示す説明図。
【図２１】実施例１における、その他の制御によるＪ字カーブにおける副灯の光軸方向の変化を示す説明図。
【図２２】実施例１における、その他の制御によるＳ字カーブにおける主灯の光軸方向の変化を示す説明図。
【図２３】実施例１における、その他の制御によるＳ字カーブにおける副灯の光軸方向の変化を示す説明図。
【図２４】実施例２における、前照灯の光軸の制御手順を示すフロー図。
【図２５】実施例３における、前照灯の光軸の制御手順を示すフロー図。
【図２６】実施例４における、前照灯の光軸の制御手順を示すフロー図。
【図２７】実施例５における、前照灯の光軸の制御手順を示すフロー図。
【図２８】実施例５における、右コーナーを示す説明図。
【図２９】実施例５における、右コーナーにおける転舵角及びθstrの変化を示すグラフ。
【図３０】実施例５における、右コーナーにおけるθnavの変化を示すグラフ。
【図３１】実施例５における、右コーナーにおける制御の様子を説明するグラフ。
【図３２】実施例５における、右コーナーにおける左右前照灯の光軸角度の変化を示すグラフ。
【図３３】実施例５における、Ｓ字カーブを示す説明図。
【図３４】実施例５における、Ｓ字カーブにおける転舵角及びθstrの変化を示すグラフ。
【図３５】実施例５における、Ｓ字カーブにおけるθnavの変化を示すグラフ。
【図３６】実施例５における、Ｓ字カーブにおける制御の様子を説明するグラフ。
【図３７】実施例５における、Ｓ字カーブにおける左右前照灯の光軸角度の変化を示すグラフ。
【図３８】実施例５における、前照灯の光軸の制御手順を示すその他のフロー図。
【符号の説明】
【０１２５】
１  車両用前照灯装置
１１、１２  スイブル装置
１００  車両
１１０、１２０  前照灯
２０  道路データ出力手段
２１  位置検知センサ
２２  地図データベース２２
２００  ナビゲーションシステム
２０３  ＧＰＳアンテナ
２０４  ジャイロセンサ
３０  配光制御ＥＣＵ
４０  ステアリング舵角センサ
５０  車速センサ
【図１】
2005059839.tif 000003
【図２】
2005059839.tif 000004
【図３】
2005059839.tif 000005
【図４】
2005059839.tif 000006
【図５】
2005059839.tif 000007
【図６】
2005059839.tif 000008
【図７】
2005059839.tif 000009
【図８】
2005059839.tif 000010
【図９】
2005059839.tif 000011
【図１０】
2005059839.tif 000012
【図１１】
2005059839.tif 000013
【図１２】
2005059839.tif 000014
【図１３】
2005059839.tif 000015
【図１４】
2005059839.tif 000016
【図１５】
2005059839.tif 000017
【図１６】
2005059839.tif 000018
【図１７】
2005059839.tif 000019
【図１８】
2005059839.tif 000020
【図１９】
2005059839.tif 000021
【図２０】
2005059839.tif 000022
【図２１】
2005059839.tif 000023
【図２２】
2005059839.tif 000024
【図２３】
2005059839.tif 000025
【図２４】
2005059839.tif 000026
【図２５】
2005059839.tif 000027
【図２６】
2005059839.tif 000028
【図２７】
2005059839.tif 000029
【図２８】
2005059839.tif 000030
【図２９】
2005059839.tif 000031
【図３０】
2005059839.tif 000032
【図３１】
2005059839.tif 000033
【図３２】
2005059839.tif 000034
【図３３】
2005059839.tif 000035
【図３４】
2005059839.tif 000036
【図３５】
2005059839.tif 000037
【図３６】
2005059839.tif 000038
【図３７】
2005059839.tif 000039
【図３８】
2005059839.tif 000040